(57)【要約】【課題】吸気流を肌の近傍に流すことで汗の蒸発を促進させて換気し、更に吹き出し流も換気に利用することで換気範囲を広くし、使用者が熱気を感じる身体の部位を任意に換気できることで、衣服内気候を快適にし、省電力で使いやすく廉価な衣服内換気用送風機を提供する。【解決手段】送風機を格納した箱体３の前壁１１に吸気口２３を設け、天壁１３に吹き出し口２４を設け、天壁１３以外の全壁に多数の通気口１６を設け、箱体３の内部に隙間部１９を設け、衣服又は身体への装着部を設ける。  吸気口２３を肌Ｂ側に向けて箱体３を装着し、肌Ｂと下着ＵＷの間で生じた高温多湿な空気３２を、吸気口２３で吸い取り、吹き出し３４する。  負圧となった肌Ｂと下着ＵＷの間３２に向け下着ＵＷと上着ＯＷの間の空気３１と外気３０とが流れこみ、通気口１６に入り、隙間部１９を通り吸気口２３に入り吹き出し３４される。  以上の連続により汗を蒸発させ衣服内を換気する。【選択図】図４
2018059493.tif 000002
【特許請求の範囲】
【請求項１】
吸い込み気流３３と、吹き出し気流３４との両方を利用して衣服内を換気する送風機１であって、モーター２０と、そのモーター２０で駆動されるフアン２１と、そのフアン２１を覆い空気の流路を形成したフアンカバー２２と、そのフアンカバー２２に設けた吸気口２３と、吹き出し口２４と、でなる送風機構を収容する箱体３と、その箱体３は平面視略長方形で一部を開口にした天壁１３と、前壁１１と、後壁１２と、底壁１４と、一対の端壁１５と、で成り、前記吸気口２３が、前記前壁１１側になるよう前記送風機構を前記箱体３に収容し、前記天壁１３に前記吹き出し口２４を向け、前記前壁１１と前記後壁に設けた多数の通気口１６と、前記底壁１４と前記一対の端壁１５の内少なくとも１か所に設けた多数の前記通気口１６と、前記箱体３の内部に前記通気口１６から前記吸気口２３へと続くように設けた隙間部と、前記箱体３の表面に設けた係止部と、でなる衣服内換気用送風機。
【請求項２】
通気性のある軟材質よりなる略長方形の袋体６０と、その袋体６０の上部に設けた開口部６３と、前記袋体６０の横手方向の中央に設けた係止部と、でなる後付けポケット。
【発明の詳細な説明】
【技術分野】
【０００１】  本発明は、熱中症予防や、高熱作業場で衣服内気候を改善する衣服内換気用送風機である。
【背景技術】
【０００２】  夏季の冷却用に携帯型送風機がある。また、衣服内に外気を吹き込む空調服がある。
衣服内に送風機を装着する発明に特許文献１と特許文献２がある。【０００３】  しかし、特許文献１は、吸気口が衣服の外側に向いており、吸気流を換気に利用できず、吹き出し気流だけを利用する構造であり、仮に吸気口側を肌側に向けた場合は吸気口に下着または肌が吸着しモーターの回転が落ち、吸気量が不足する。
特許文献２は、吸気口が衣服の外側に向いており、吸気流を換気に利用できず、吹き出し気流だけを利用する構造であり、仮に吸気口側を肌側に向けた場合は、吸気口に下着または肌が吸着しモーターの回転が落ち、吸気量が不足する。
【先行技術文献】
【特許文献】
【０００４】
【特許文献１】実用新案登録第３１８２３８５号
【特許文献２】特開２０１３−１３０１８４号
【発明の概要】
【発明が解決しようとする課題】
【０００５】  吸気流を肌の近くに流すことで汗の蒸発を促進させて換気し、更に吹き出し流も換気に利用することで換気範囲を広くし、使用者が熱気を感じる身体の部位を任意に換気できることで、衣服内気候を快適にし、省電力で使いやすく廉価な衣服内換気用送風機を提供する。
【課題を解決するための手段】
【０００６】  送風機の吹き出し気流と、吸い込み気流との両方を利用して衣服内気候を良くするため、モーターと、そのモーターで駆動されるフアンと、そのフアンを覆い空気の流路を形成したフアンカバーとそのフアンカバーに設けた吸気口と、吹き出し口と、でなる送風機構を収容する箱体は、平面視長方形の天壁と、前壁と、後壁と、底壁と、一対の端壁よりなり、吸気口が箱体の前壁側になるよう送風機構を箱体に収容し、天壁に吹き出し口と結合するように設けた開口部と、前壁と後壁と底壁と一対の端壁に設けた多数の通気口と、その通気口に入った空気を吸気口に導くため箱体内部に設けた隙間部と、箱体を衣服又は身体に装着する係止部を設ける。【０００７】  通気性のある軟材質よりなる略長方形の袋体と、その袋体の上部に設けた開口部と、袋体の横手方向の中央に設けた係止部と、でなる後付けポケット。【０００８】
【発明の効果】
【０００９】  本発明によれば、下着と肌の間に滞留している高温多湿な箇所に吸気流が流通し、吸気口で吸い出し、負圧となったその個所に通気口と隙間部を通し新しい空気が連続して流通し、汗の蒸発を促進して涼しくでき、外気を取り込んだ吹き出し気流と合わせて広い範囲を換気できるため、省電力で効果を上げられる。さらに使用者が、任意の部位を換気できる。又、通気性のある袋に収納して、従来の送風機でも本機に近い効果をあげられ、後付けポケットにもなり、廉価に利用できる。
【図面の簡単な説明】
【００１０】
【図１】の（ａ）は全壁側の斜視図であり、（ｂ）と（ｃ）は後壁側と装着方法を示す斜視図である。
【図２】の（ａ）は図１（ａ）のＡ−Ａ断面図であり，（ｂ）は図１（ｂ）のＢ−Ｂ断面図であり、（Ｃ）は、電池を外付けにした場合の斜視図である。
【図３】は、身体又は衣服に装着した場合の概略図である。
【図４】の（ａ）は従来の送風機の気流を示す概略図であり、（ｂ）と（ｃ）は本発明の気流を示す概略図である。
【図５】の（ａ）は従来の送風機の換気範囲を示す概略図であり。（ｂ）は本発明の換気範囲を示す概略図である。
【図６】は、気流の調整を示す（ａ）は後壁側の斜視図であり、（ｂ）は全壁側の斜視図である。
【図７】は、従来の送風機の機能を向上する後付けポケットの斜視図である。
【図８】は、後付けポケットの内部構造を示す断面図である。
【図９】は、後付けポケットの生地の例と衣服への装着状態を示す概略図である。
【発明を実施するための形態】
【００１１】  以下、図面を基に本発明の実施形態について説明する。
図１は、本発明の衣服内換気用送風機（以下本機１と言う）の外観と装着方法を示す斜視図である。
樹脂あるいは金属よりなる箱状体であり、前壁１１と後壁１２と天壁１３と底壁１４と一対の端壁１５とを結合し形成される。天壁１３はスイッチ２９と、吹き出し口２４を設け、前壁１１と後壁１２と底壁１４と一対の端壁１５に多数の通気口を設ける。
図１（ｂ）は、バンド４０により本機１を装着する方法を示し、後壁１２側を斜め下から見た斜視図であり、バンドホルダー４１を一対の端壁１５に設け、バンド４０により装着する。バンド４０は、肌直接装着された場合を考慮し肌触りの良い通気性のある素材で形成する。後壁１２の下部に電池ケース２７の蓋２８を設ける。
なお、図は省略したがバンドホルダー４１を前壁１１側に設けてもよい。
図１（ｃ）は、係止部（特許第４７８０２８０号）商品名クリップウエアにより装着する方法を示し、後壁１２側を斜め下から見た斜視図である。第二係止部４２を後壁１２の中央近傍に結合し、第一係止部４３により装着する。
【００１２】  図２の（ａ）は、図１（ａ）のＡ−Ａ断面図であり、図２の（ｂ）は、図１（ｂ）のＢ−Ｂ断面図であり両図とも本機１の内部構造を示している。連結板２６に、フアン２１を取りつけたモーター２０とフアンカバー２２と電池ケース２７と柱体１７を結合させて送風機構となる。天壁１３と底壁１４と一対の端壁１５と後壁１２を一体形成し、送風機構を格納して前壁１１と後壁１２に設けたネジ孔７０により柱体１７にネジ７１で取付け組立て完了する。（ネジ穴７０とネジ７１は一部分を図示した）以上により多数の通気口１６から入った空気が吸気口２３へと流れる通路となる隙間部１９が箱体３の内部に形成される。なお、図示は省略したが、サーモスタッドまたはタイマーあるいは風量調整機能など公知の技術を加えても良い。
【００１３】    図２の（ｂ）は、電池２５ａを外付けにした場合の、本機１の後壁１２側を下から見た斜視図であり、後壁１２の下部に多数の通気口１６を追加し、底壁１４に多数の通気口１６を追加した状態を示すものである。
廃止した電池ケース２７部分を縮小して全体を小型軽量化してもよい。又はモーター２０を大型化し風量風速の向上を図ってもよい。あるいは送風機構を２連化してもよい。
【００１４】    図３は本機１の装着状態を示し、（ａ）は、紐取りつけ部８１に通した紐８０により使用者Ｕの首にかけて使用した状態である。
図３（ｂ）は、バンド４０により、使用者Ｕの下着ＵＷの上腹部に本機１を装着した状態である。
図３（ｃ）は、バンド４０により使用者Ｕの上着ＯＷと下着ＵＷの間で、脇の下に本機１を装着した状態である
図３（ｄ）は、外付け電池２５ａから配線２５ｂで給電される本機１を使用者Ｕの肌Ｂと上着ＯＷの間の上腹部と背中に装着した状態である。
バンド４０がさがるのを防ぐため、肩紐４４など公知の方法を併用してもよい。
なお、図１（ｃ）の装着方法は図９（ｂ）（ｃ）にて図示のとおり後壁１２に結合させた突起状の第２係止部４２をシャツ６１の下から押し上げ、第１係止部４３の内部にシャツ６１の生地ごと押し込み留める構造であり、これによりシャツ６１の任意の位置に装着し、換気可能となる。
【００１５】    図４は、空気の流れと効果を説明する概略図であり、（ａ）は従来の送風機９による気流を示し、下着ＵＷと上着ＯＷの間に装着し、上着ＯＷの生地の隙間から吸入される外気３０が、上着ＯＷ側に向いた吸気口２３に吸い込まれ上方への吹き出し３４される。肌Ｂと下着ＵＷの間の空気３２には気流の影響が少なく滞留した状態となっている。
図４（ｂ）は本機１の稼働状態の概略断面図であり、下着ＵＷ側に向いた吸気口２３に下着ＵＷと肌Ｂとの間の空気３２が前壁１１の通気口１６を通し吸い込まれる。
上着と下着の間の空気３１は、負圧となった下着ＵＷと肌Ｂの間と、一対の端壁１５と底壁１４の通気口１６に吸い込まれる。
更に上着ＯＷの生地の隙間を通って外気流３０が，後壁１２の通気口１６に入り隙間部１９を通り吸気口２３に吸い込まれ上方への吹き出し３４、衣服内の空気と混合し本機１の上方を換気する。以上により、吸気口２３が肌Ｂ側に向けても吸気に必要な空気の供給が十分にできる。
図４（ｃ）は、後壁１２の背景に上着ＯＷがあり、前壁１１を透視して肌Ｂ側から見た概略図である。図では表せないが、肌Ｂと下着ＵＷの間の空気３２が、前壁１１側の多数の通気口１６に吸い込まれている。
上着ＯＷと下着ＵＷの間の空気３１が、底壁１４と一対の側壁１５の多数の通気口１６ｂに入り隙間部１９を通り吸気口２３に吸い込まれ上方へ吹き出し３４される。上着ＯＷの生地の隙間を通り外気流３０が後壁１２の多数の通気口１６ａに入る。
【００１６】  図５は換気効果の範囲を示す概略図である。
図５（ａ）は従来の送風機９による換気範囲３５であり、吹き出し３４気流により主に胸と首と顔を涼しくしている。
図５（ｂ）は本機１による換気の範囲を示し、図４（ａ）（ｂ）に示す気流により、本機１の周囲の空気が吸気流３３となって吸い寄せられる吸気による換気範囲３６と、吹き出し３４気流による換気範囲３５と合わせ広い範囲を換気する。
【００１７】  図６は連結板２６ａを拡大し、貫通孔１８を設けたものであり、後壁１２を外した状態を下から見た斜視図である。一対の端壁１５と底壁１４側には通気口１６を無くしたため、後壁１２［図１参照］に設けた多数の通気口１６から入った空気は、すべて貫通孔１８に吸い込まれ。前壁１１と連結板２６ａの間の隙間部１９を通り吸気口２３に向かう気流ができる。
これにより後壁１２からの空気の流れがまとまり、その流れに誘引されて本機１の周囲の肌Ｂに近い空気が吸気流３０となり換気範囲３６ａを広げられる。（図５参照）
図６（ｂ）は前壁１１に設けた多数の通気口１６を一部分減少させたものであり、前壁１１側の上から見た斜視図である。
吸気口２３の直前は、空気の吸い込み気流が速く、他の部位よりも特に涼しくなるため、吸気口２３の周囲１１ａは通気口１６を減らし、涼しさが一部分に集中しないよう広く冷涼効果を及ぼすようにした。
【００１８】  図７は、従来の送風機９でも本機１に近い換気効果を上げられるようにしたものである。
図７（ａ）は、従来の送風機９を収納できる大きさに形成し多数の通気口１６を設けた軟材質の袋体６０であり、上方を開口にし、落下防止のため開口部６３の長手方向の略中央に前壁１１と後壁１２を連結する落下防止部５４と留め具５５を設ける。バンドホルダー４１を一対の端壁１５に設ける。
図７（ｂ）は、（ａ）に加え、係止具（特許第４７８０２８０号）商品名クリップウエアにより装着する方法を示す斜視図である。前壁１１に結合させた突起状の第２係止部４２と第１係止部４３とで成る。装着方法は図９と同様であり、後付けポケットとしての役割も果たす。
【００１９】  図８（ａ）は、図７のＣ−Ｃ断面図であり、前壁１１と後壁１２と一対の側壁１５と底壁１４の内側に多数の突起部５３設ける。
図８（ｂ）は、図７のＤ−Ｄ断面図であり、従来の送風機９を収納した状態を示すものである。
多数の突起部５３により隙間部１９が形成されるため、従来の送風機９の吸気口２３を肌Ｂ側に向けても隙間部１９を通り周囲の空気を吸入し換気できる。
【００２０】    図９（ａ）は、後付けポケット６０であり、通気性のある素材により上部を開口に形成した袋体である。材質は立体メッシュが好適であり、メッシュの立体部分が隙間部１９となって外気を肌Ｂ側に導く通路になることで、財布や手帳を収容した場合に肌Ｂ側からの汗や蒸れを隙間部１９がシャツ６１の外側に逃し収納物６４の、濡れを防ぐことができる。
【００２１】  本後付けポケット６０に従来の送風機９を収納し作動させると、立体メッシュの隙間部１９により一定の換気効果を上げられる。送風機に利用を目的の場合は、立体メッシュの厚み及び前述の隙間部の隙間寸法は、モーター２０の送風出力に合わせ加減する。小出力では１ミリ、大出力では８ミリの範囲である。
【００２２】  図９（ｂ）は、後付けポケット６０を係止部（特許第４７８０２８０号）商品名クリップウエアにより装着した例であり、シャツ６１の外ポケット６２の内側に第一係止部４３が納まり外見上は自然な状態である。
図９（ｃ）は図使用状態を示す概略断面図であり、後付けポケット６０に収納物６４を入れ、落下防止部５４と留め具５５で保持し、係止具（特許第４７８０２８０号）商品名クリップウエアの突起状の第２係止部４２を前壁１１に結合させ、シャツ６１の下から押し上げ、第１係止部４３の内部に生地ごと押し込み留める構造であり、これによりシャツ６１の任意の位置に装着可能となる。
【００２３】全体の共通事項として、使用目的たとえば、冷房の設定温度を省電力にして、人により本機を使う場合は小出力で十分であり、猛暑の中の作業者向けには高出力が必要である。使用目的に見合う出力のモーター２０にし、十分な空気供給に見合った隙間部１９寸法と通気口１６の総面積を設定する。
【産業上の利用可能性】
【００２４】    本機により、夏季の熱中症の予防具として、また、高熱現場での作業者の衣服内気候を快適にできる。
【符号の説明】
【００２５】  １    本機
２    送風機構
３    箱体
９    従来の送風機
１１    前壁
１２    後壁
１３    天壁
１４    底壁
１５    一対の端壁
１６    通気口
１７    柱体
１８    貫通孔
１９    隙間部
２０    モーター
２１    フアン
２２    フアンカバー
２３    吸気口
２４    吹き出し口
２７    電池ケース
２８    電池ケースの蓋
２９    スイッチ
３０    外気流
３１    下着と上着の間の空気
３２    肌と下着の間の空気
３３    吸気流
３４    吹き出し
３５    吹き出し気流による冷却範囲
３６    吸気流による冷却範囲
４０    バンド
４１    バンドホルダー又はフック
４２    第二係止部
４３    第一係止部
５３    突起部
５４    落下防止部
５５    留め具
６０    後付けポケット
６１    シャツ
６２    ポケット
６３    開口部
７０    ネジ孔
７１    ネジ
８０    紐
Ｕ      使用者
Ｂ      肌
ＯＷ    上着
ＵＷ    下着
【図１】
2018059493.tif 000003
【図２】
2018059493.tif 000004
【図３】
2018059493.tif 000005
【図４】
2018059493.tif 000006
【図５】
2018059493.tif 000007
【図６】
2018059493.tif 000008
【図７】
2018059493.tif 000009
【図８】
2018059493.tif 000010
【図９】
2018059493.tif 000011